(57)【要約】【課題】夜間低酸素血症の類型を判定する。【解決手段】動脈血酸素飽和度の経時的変化に関する情報である酸素飽和度情報を取得する酸素飽和度情報取得部１１０と、第一期間内の酸素飽和度情報を周波数変換する変換部１２０と、所定の周波数範囲内におけるパワーを抽出するパワー抽出部１３０と、第一期間より長い第二期間において抽出されたパワーが第一閾値を超える時間の合計である超過期間を算出する時間算出部１４０と、超過期間が第二閾値以上の場合、間欠型の類型であると判定する判定部１５０と、判定結果を報知する報知部１６０とを備える類型判別装置１００。【選択図】図１
2019180800.tif 000002
【特許請求の範囲】
【請求項１】
被測定者の睡眠時における動脈血酸素飽和度の経時的変化に関する情報である酸素飽和度情報を取得する酸素飽和度情報取得部と、
所定の第一期間内の酸素飽和度情報を周波数変換する変換部と、
前記変換部により変換されたデータに基づき所定の周波数範囲内におけるパワーを抽出するパワー抽出部と、
前記第一期間より長い所定の第二期間において前記パワー抽出部によって抽出されたパワーが第一閾値を超える時間の合計である超過期間を算出する時間算出部と、
時間算出部により算出された超過期間が第二閾値以上の場合、間欠型の類型であると判定する判定部と、
前記判定部による結果を報知する報知部と
を備える類型判別装置。
【請求項２】
前記酸素飽和度情報取得部が取得した酸素飽和度情報から酸素飽和度のベースラインを算出するベースライン算出部と、
算出された前記ベースラインに対し、酸素飽和度が第三閾値以下になったことを検出する検出部と、
前記検出部により検出された期間である持続期間を計測する期間計測部とを備え、
前記判定部は、
持続期間が第五閾値以上の場合、持続型の類型であると判定する
請求項１に記載の類型判別装置。
【請求項３】
前記酸素飽和度情報取得部が取得した酸素飽和度情報から酸素飽和度のベースラインを算出するベースライン算出部と、
算出された前記ベースラインに対し、酸素飽和度が第四閾値以下になったことを検出する検出部と、
前記検出部により検出された期間である持続期間を計測する期間計測部とを備え、
前記判定部は、
第六閾値以上、第七閾値未満の前記持続期間が、第八閾値以上の時間をあけて第九閾値以上の回数発生している場合、不規則型の類型であると判定する
請求項１に記載の類型判別装置。
【請求項４】
前記酸素飽和度情報取得部が取得した酸素飽和度情報から酸素飽和度のベースラインを算出するベースライン算出部と、
算出された前記ベースラインに対し、酸素飽和度が第三閾値以下になったことを検出する検出部と、
前記検出部により検出された期間である持続期間を計測する期間計測部とを備え、
前記判定部は、
持続期間が第五閾値以上の場合、持続型の類型であると判定し、
第六閾値以上、第七閾値未満の前記持続期間が、第八閾値以上の時間をあけて第九閾値以上の回数発生している場合、不規則型の類型であると判定する
請求項１に記載の類型判別装置。
【請求項５】
前記酸素飽和度情報取得部が取得した酸素飽和度情報から酸素飽和度のベースラインを算出するベースライン算出部と、
算出された前記ベースラインに対し、酸素飽和度が第三閾値以下になったことを検出する検出部と、
前記検出部により検出された期間である持続期間を計測する期間計測部とを備え、
前記判定部は、前記間欠型ではない非間欠型の類型であると判定した場合において
持続期間が第五閾値以上の場合、持続型の類型であると判定し、
第六閾値以上、第七閾値未満の前記持続期間が、第八閾値以上の時間をあけて第九閾値以上の回数発生している場合、不規則型の類型であると判定する
請求項１に記載の類型判別装置。
【請求項６】
前記酸素飽和度情報取得部は、被測定者に取り付けたパルスオキシメータから酸素飽和度情報を取得する
請求項１から５のいずれか一項に記載の類型判別装置。
【請求項７】
前記判定部は、所定の期間前から現在までの酸素飽和度情報に基づき類型を判定し、
前記報知部は、前記判定部の結果を即座に報知する
請求項１から６のいずれか一項に記載の類型判別装置。
【発明の詳細な説明】
【技術分野】
【０００１】
本発明は、夜間低酸素血症の類型を判別する技術に関する。
【背景技術】
【０００２】
在宅で酸素吸入をする治療法である在宅酸素療法（ＨＯＴ）を受ける施行者は、年々増加している。例えば、慢性閉塞性肺疾患（ＣＯＰＤ）と呼ばれる患者、肺結核後遺症、間質性肺炎、心疾患、胸郭・脊柱疾患、神経筋疾患等がこの在宅酸素療法を受ける場合がある。
【０００３】
在宅酸素療法を受ける施行者は、夜間等の睡眠時に動脈血中の酸素が不足する状態である低酸素血症を引き起こす場合がある。睡眠時における対応は、酸素療法が用いられることが多い。具体的には、パルスオキシメータを指先や耳などに付けて、脈拍数と経皮的動脈血酸素飽和度（ＳｐＯ２）を測定する。得られた経皮的動脈血酸素飽和度の値に応じて、供給する酸素量や濃度を決定し、酸素濃縮装置や酸素ボンベを使って、患者に決定された値の濃縮酸素を供給する治療が施されている。
【０００４】
なお、関連する公知文献は存在しないと考えているが、呼吸信号から呼吸パターンを検出し、周波数スペクトルを計算してチェーンストークス呼吸の発生を検出する装置を特許文献１として挙示する。
【先行技術文献】
【特許文献】
【０００５】
【特許文献１】特表２００８−５２５０６０号公報
【発明の概要】
【発明が解決しようとする課題】
【０００６】
しかしながら、患者の症状に適切に対応した治療が行われていない場合もある。具体的には、日中に一定の酸素流量を流す酸素療法が必要な患者に対して、夜間も同様の酸素流量を流し続ける酸素療法がおこなわれている場合などである。
【０００７】
これは夜間低酸素血症の類型は複数存在するが、一人の患者が複数の類型を含んでいる場合もあり複雑である。従って、検査施行医による所見の肉眼的評価だけで夜間低酸素血症の類型を判別することには限界がある。また、低酸素血症の状態によって臨機応変に治療方法を変更させることも望まれるが、医師や看護師が測定結果を常に監視することは非常に困難である。
【０００８】
また、夜間低酸素血症の類型を装置により判別しようとする場合、酸素飽和度ばかりでなく、脳波や眼球の動きなどをセンシングして総合的に判断させる場合が考えられるが、これでは、測定時の患者に負担が発生し、正確なデータが得られないことも懸念される。
【０００９】
本発明は、上記課題に鑑みなされたものであり、酸素飽和度のみの情報に基づき、夜間低酸素血症の類型を判別することができる類型判別装置の提供を目的とする。
【課題を解決するための手段】
【００１０】
上記目的を達成するために、本発明の１つである類型判別装置は、被測定者の睡眠時における動脈血酸素飽和度の経時的変化に関する情報である酸素飽和度情報を取得する酸素飽和度情報取得部と、所定の第一期間内の酸素飽和度情報を周波数変換する変換部と、前記変換部により変換されたデータに基づき所定の周波数範囲内におけるパワーを抽出するパワー抽出部と、前記第一期間より長い所定の第二期間において前記パワー抽出部によって抽出されたパワーが第一閾値を超える時間の合計である超過期間を算出する時間算出部と、時間算出部により算出された超過期間が第二閾値以上の場合、間欠型の類型であると判定する判定部と、前記判定部による結果を報知する報知部とを備える。
【００１１】
これによれば、動脈血酸素飽和度の経時的変化を取得するだけで、被測定者の夜間低酸素血症の類型が間欠型か間欠型でないかを判定することができる。
【００１２】
また、前記酸素飽和度情報取得部が取得した酸素飽和度情報から酸素飽和度のベースラインを抽出するベースライン抽出部と、抽出された前記ベースラインに対し、酸素飽和度が第三閾値以下になったことを検出する検出部と、前記検出部により検出された期間である持続期間を計測する期間計測部とを備え、前記判定部は、持続期間が第五閾値以上の場合、持続型の類型であると判定してもよい。
【００１３】
これによれば、被測定者の夜間低酸素血症の類型が持続型か持続型でないかを判定することができる。
【００１４】
また、前記酸素飽和度情報取得部が取得した酸素飽和度情報から酸素飽和度のベースラインを抽出するベースライン抽出部と、抽出された前記ベースラインに対し、酸素飽和度が第三閾値以下になったことを検出する検出部と、前記検出部により検出された期間である持続期間を計測する期間計測部とを備え、前記判定部は、第六閾値以上、第七閾値未満の前記持続期間が、第八閾値以上の時間をあけて第九閾値以上の回数発生している場合、不規則型の類型であると判定してもよい。
【００１５】
これによれば、被測定者の夜間低酸素血症の類型が不規則型か不規則型でないかを判定することができる。
【００１６】
また、前記酸素飽和度情報取得部は、被測定者に取り付けたパルスオキシメータから酸素飽和度情報を取得してもよい。
【００１７】
これによれば、指先や耳に軽量な装置を取り付けるだけで、酸素飽和度情報を取得することができ被験者の負担を軽減することができる。
【００１８】
前記判定部は、所定の期間前から現在までの酸素飽和度情報に基づき類型を判定し、前記報知部は、前記判定部の結果を即座に報知してもよい。
【００１９】
これによれば、リアルタイムで判定結果を報知することができ、症状の発生に即座に対応して治療方針の変更などをすることができる。
【００２０】
なお、前記類型判別装置が実行する各処理をコンピュータに実現させるためのプログラムを実施することも本発明の実施に該当する。無論、そのプログラムが記録された記録媒体を実施することも本発明の実施に該当する。
【発明の効果】
【００２１】
被測定者の睡眠時における動脈血酸素飽和度の経時的変化に関する情報である酸素飽和度情報を取得するだけで、夜間低酸素血症の類型を判定することができる。
【図面の簡単な説明】
【００２２】
【図１】類型判別装置の機能構成を機構構成と共に示すブロック図である。
【図２】類型判別装置の動作を示すフローチャートである。
【図３】酸素飽和度のデータ、およびデータの解析状態を複数段階で示すグラフである。
【図４】酸素飽和度のデータの他の解析状態を示すグラフである。
【発明を実施するための形態】
【００２３】
発明者は、発明者が勤務する病院や関連施設において、対象患者に関して、経皮的動脈血酸素飽和度の波形データを取得し、そのデータを分析し、対象患者のＮ数を増やすことで、実際に医師が判断した治療と分析結果との因果関係を見付けるに到った。
【００２４】
これにより、従来は、対象患者に対して、夜間等の睡眠時の治療を画一的に行って、患者に対する治療効果が出ない場合があったようなケースに対して、簡単な経皮的動脈血酸素飽和度のデータ取得と機械的な分析により、患者毎によりよい治療を施せることを見出した。
【００２５】
更に、対象患者は、経皮的動脈血酸素飽和度の波形データを長時間取得し、それらを一定時間毎で分析した場合には、正確で再現性の高い夜間低酸素血症の類型の判定が出来ることを見出した。
【００２６】
次に、本発明に係る類型判別装置の実施の形態について、図面を参照しつつ説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００２７】
また、図面は、本発明を示すために適宜強調や省略、比率の調整を行った模式的な図となっており、実際の形状や位置関係、比率とは異なる場合がある。
【００２８】
図１は、類型判別装置の機能構成を機構構成と共に示すブロック図である。同図に示すように、類型判別装置１００は、被測定者の睡眠時における動脈血酸素飽和度の経時的変化から夜間低酸素血症の類型を判定する装置であって、プロセッサにプログラムを実行させることにより実現する複数の処理部を備えている。類型判別装置１００は、処理部として酸素飽和度情報取得部１１０と、変換部１２０と、パワー抽出部１３０と、時間算出部１４０と、判定部１５０と、報知部１６０とを備えている。また本実施の形態の場合、類型判別装置１００はさらに、ベースライン算出部１７０と、検出部１８０と、期間計測部１９０とを備えている。また類型判別装置１００には、パルスオキシメータ２００と、表示装置２１０と、記憶装置２２０とが接続されている。
【００２９】
酸素飽和度情報取得部１１０は、被測定者の睡眠時における動脈血酸素飽和度の経時的変化に関する情報である酸素飽和度情報を取得する処理部である。酸素飽和度情報取得部１１０の情報取得方法は、特に限定されるものではなく、例えば、インターネットやＬＡＮなどのネットワーク経由で情報を取得する方法、記録媒体に記録された情報を読み取ることにより取得する方法などを例示することができる。本実施の形態の場合、酸素飽和度情報取得部１１０は、パルスオキシメータ２００と通信可能に接続されており、パルスオキシメータ２００から取得した酸素飽和度を経時情報とともに酸素飽和度情報としてリアルタイムで記憶装置２２０に記憶する。
【００３０】
ここで、パルスオキシメータ２００で測定した酸素飽和度情報は、経皮的動脈血酸素飽和度の情報であり、動脈血酸素飽和度とほぼ一致するため、酸素飽和度情報取得部１１０は、パルスオキシメータ２００から出力されるデータを動脈血酸素飽和度として処理している。パルスオキシメータ２００は、動脈血酸素飽和度の近似値をリアルタイムで測定することができるため好ましい。
【００３１】
変換部１２０は、所定の第一期間内の酸素飽和度情報を周波数変換する処理部である。周波数変換の手法は特に限定されるものではなく、ＡＲモデルを使うパラメトリック手法などによる周波数領域情報への変換を例示することができる。本実施の形態の場合、変換部１２０は、第一期間内の酸素飽和度情報を高速フーリエ変換によりフーリエ変換を行い周波数領域情報に変換している。
【００３２】
第一期間は、特に限定されるものではないが、人の睡眠時間を考慮して有意な結果を導出できる期間に設定することが好ましい。また、高速フーリエ変換を行うためある程度まとまったデータも必要であることから、例えば第一期間は６００秒程度が好ましい。なお、第一期間は、高速フーリエ変換する際のウィンドウ幅に相当する。
【００３３】
パワー抽出部１３０は、変換部１２０により変換されたデータに基づき所定の周波数範囲内におけるパワーを抽出する処理部である。
【００３４】
周波数範囲は、特に限定されるものではないが、人の呼吸を考慮して有意な結果を導出できる周波数の範囲のパワーを抽出することが好ましい。本実施の形態の場合、周波数範囲ΔＦは、０．７／６０Ｈｚ以上、１．５／６０Ｈｚ以下の範囲とし、当該範囲における最大パワーをパワーとして抽出している。
【００３５】
時間算出部１４０は、第一期間より長い所定の第二期間においてパワー抽出部１３０によって算出されたパワーが第一閾値を超える時間の合計である超過期間を算出する処理部である。第二期間は、特に限定されるものではないが、人の症状の変化時間を考慮して有意な結果を導出できる期間に設定することが好ましい。例えば第二期間は３６００秒程度が好ましい。なお、本実施の形態の場合、第一期間と第二期間の終わりの時刻は同一であり、第一期間は第二期間に含まれる。また、第一期間と第二期間の終わりの時刻はパルスオキシメータ２００から酸素飽和度を取得した時刻である。これにより、リアルタイムに夜間低酸素血症の累計を判定することができる。
【００３６】
第一閾値は、特に限定されるものではないが、夜間低酸素血症における間欠型の類型を有意に判断できる値に設定することが好ましい。本実施の形態の場合、第一閾値はＰｔｈ（２．０）に設定されている。
【００３７】
判定部１５０は、時間算出部１４０により算出された時間が第二閾値以上の場合、間欠型の類型であると判定する処理部である。
【００３８】
第二閾値は、特に限定されるものではないが、夜間低酸素血症における間欠型の類型を有意に判断できる値に設定することが好ましい。本実施の形態の場合、第二閾値は１３００秒に設定されている。
【００３９】
従って、本実施の形態の場合、判定部１５０は、時間算出部１４０が算出した時間が１３００秒を越えた場合、間欠型であると判定する。
【００４０】
報知部１６０は、判定部による結果を報知する処理部である。報知部１６０による判定結果の報知方法は特に限定されるものではなく、音、光、画像、振動などにより間欠型の類型が発生したことを人に対して報知してもよい。また、情報として他のコンピュータや端末などに送信することで報知してもかまわない。さらにメールなどのメッセージとして送信してもかまわない。
【００４１】
本実施の形態の場合、報知部１６０は、液晶ディスプレイなどの表示装置２１０と通信可能に接続されており、判定部１５０が判定した結果に基づき人の認知できる文字、記号、画像などにより間欠型の類型が存在していることを表示装置２１０に表示させることで報知している。
【００４２】
ベースライン算出部１７０は、酸素飽和度情報取得部１１０が取得した酸素飽和度情報から酸素飽和度のベースラインを算出する処理部である。
【００４３】
ベースラインとは、酸素飽和度情報の波形において、波形がベースラインに対して第三閾値以下に低下する前の所定期間において有意な変化のない略一定状態が続いていた時の酸素飽和度の値の移動平均である。
【００４４】
検出部１８０は、算出されたベースラインに対し、酸素飽和度が第三閾値以下になったことを検出し、また酸素飽和度が第四閾値以下になったことを検出する処理部である。
【００４５】
第三閾値は、特に限定されるものではないが、夜間低酸素血症における持続型の類型を有意に判断できる値に設定することが好ましい。本実施の形態の場合、第三閾値は、検出時刻におけるベースラインの値から−３％として設定されている。従って、ベースラインは、緩やかに変動するものであるため、第三閾値も同様に変動する。
【００４６】
例えば、検出時刻におけるベースラインの値が９７％であった場合、第三閾値は９４．１％であり、検出部１８０は、酸素飽和度が９４．１％以下になったことを検出する。
【００４７】
第三閾値と第四閾値は必ずしも同じ値である必要はないが、本実施の形態の場合、第三閾値と第四閾値は同じ値である。
【００４８】
期間計測部１９０は、検出部１８０により検出された期間である持続期間を計測する処理部である。具体的には、ベースラインが９７％で有意には変動しなかった場合、第三閾値は９４％で一定ある。この場合、検出部１８０は、酸素飽和度が９４％以下になったことを検出し、期間計測部１９０は、検出部１８０が検出し続けている時間を持続期間として計測する。
【００４９】
判定部１５０は、期間計測部１９０から取得した持続期間が第五閾値以上の場合、持続型の類型であると判定し、報知部１６０はその旨を報知する。また、判定部１５０は、第六閾値以上、第七閾値未満の持続期間が、第八閾値以上の時間をあけて第九閾値以上の回数発生している場合、不規則型の類型であると判定し、報知部１６０はその旨を報知する。
【００５０】
第五閾値は、特に限定されるものではないが、夜間低酸素血症における持続型の類型を有意に判断できる値に設定することが好ましい。本実施の形態の場合、第五閾値は、６５５秒として設定されている。
【００５１】
例えば、期間計測部１９０が、６５５秒（第五閾値）以上の持続期間を計測した場合、判定部１５０は、持続型の類型が存在するとしてその旨を報知する。
【００５２】
第六閾値、および第七閾値は、特に限定されるものではないが、第六閾値は第七閾値未満であり、夜間低酸素血症における不規則型の類型を有意に判断できる値に設定することが好ましい。また、第七閾値は、第五閾値以下が好ましく、本実施の形態の場合第五閾値と第七閾値は一致している。具体的に例示すると、第六閾値は３０秒、第七閾値は６５５秒である。
【００５３】
第八閾値は、特に限定されるものではないが、夜間低酸素血症における不規則型の類型を有意に判断できる値に設定することが好ましい。また、第八閾値は第六閾値以上であることが好ましい。具体的に例示すると、第八閾値は９０秒である。
【００５４】
第九閾値は、特に限定されるものではないが、夜間低酸素血症における不規則型の類型を有意に判断できる値に設定することが好ましい。第九閾値は２以上の整数である。本実施の形態の場合、第九閾値は２回に設定されている。
【００５５】
本実施の形態の場合、判定部１５０は、期間計測部１９０が、３０秒（第六閾値）以上、６５５秒（第七閾値）未満の持続期間を計測し、９０秒（第八閾値）以上の間隔をあけて再度期間計測部１９０が３０秒（第六閾値）以上、６５５秒（第七閾値）未満の持続期間を計測した場合、判定部１５０は不規則型の類型であると判定し、報知部１６０はその旨を報知する。
【００５６】
次に、類型判別装置１００の動作を説明する。図２は、類型判別装置の動作を示すフローチャートである。類型判別装置１００の酸素飽和度情報取得部１１０は、経時的に変化する酸素飽和度のデータ（例えば図３の（ａ）の段参照）を取得する（Ｓ１０１）。データの取得方法は、既にロギングされた酸素飽和度のデータをまとめて取得してもよいが、本実施の形態の場合は、パルスオキシメータ２００から逐次送信されるデータを酸素飽和度情報取得部１１０が取得し、酸素飽和度情報取得部１１０が取得した酸素飽和度と時刻情報とを紐付けて記憶装置２２０に登録している。
【００５７】
次に、変換部１２０は、第一期間の過去から現在までのデータに対し高速フーリエ変換を実行し周波数変換を行う（Ｓ１０２）。本実施の形態の場合、第一期間３０１（図３のグラフ（ａ）参照）、具体的に例えば現時点３００から６００秒遡る間のウィンドウ内のデータに対し高速フーリエ変換を実行する。周波数変換の結果、図３のグラフ（ｂ）に示すようなグラフが得られる。次にフーリエ変換の結果に基づき所定の周波数範囲（図３のグラフ（ｂ）およびグラフ（ｃ）に共通に記載される横方向の破線の範囲）の最大パワーをパワー抽出部１３０が抽出する（Ｓ１０３）。フーリエ変換と最大パワーの抽出は第一期間３０１の移動算出により行われる。図３のグラフ（ｃ）は、現時点３００における周波数毎のパワーを示している。図３のグラフ（ｄ）は、最大パワーを時系列に並べたグラフである。
【００５８】
時間算出部１４０は、図３のグラフ（ｄ）に示すように、算出される最大パワーを逐次取得し、第一閾値３１１（本実施の形態の場合、第一閾値３１１は２）を超える最大パワーを取得してから、第一閾値を下回る最大パワーを取得するまでの時間を計測し、第二期間３０２（本実施の形態の場合、第二期間３０２は３６００秒）内において計測された時間の合計を超過期間として算出する（Ｓ１０４）。図３のグラフ（ｅ）は、超過時間を時系列に並べたグラフである。
【００５９】
判定部１５０は、算出された超過期間と第二閾値３１２（本実施の形態の場合、第二閾値３１２は、１３００秒）とを比較する（Ｓ１０５）。超過期間が第二閾値３０２を超えた場合、判定部１５０は間欠型の類型が存在すると判定する（Ｓ１０５：Ｙｅｓ）。一方、判定部１５０は、酸素飽和度情報取得部１１０がデータを取得してからデータの取得が終了するまでの間、つまり被測定者の１回の睡眠における全データの処理が終了するまでの間において超過期間が第二閾値を超える場合がない場合は、「正常」のフラグを立てる。
【００６０】
一方、ベースライン算出部１７０は、酸素飽和度情報取得部１１０が取得したデータ（図３のグラフ（ａ））に基づきベースライン３０３（図４のグラフ（ｆ）参照）を算出する（Ｓ１０６）。ベースライン３０３の算出は、原則所定期間（例えば３６００秒）の移動平均により行われるが、データの取得開始から所定期間経過していない場合は、取得しているデータに基づき算出される。
【００６１】
検出部１８０は、酸素飽和度情報取得部１１０が取得したデータが、算出されたベースライン３０３に対し第三閾値３１３（第四閾値も同じ）以下の場合を検出する（Ｓ１０７）。本実施の形態の場合第三閾値３１３は、ベースラインの−３％の値である。
【００６２】
期間計測部１９０は、酸素飽和度情報取得部１１０が取得したデータがベースラインに対し検出部１８０が第三閾値３１３以下であることを検出してから、第三閾値以上になるまでの時間である持続期間を計測する（Ｓ１０８）。図４のグラフ（ｆ）において持続時間はハッチングの帯で示している。
【００６３】
判定部１５０は、計測された結果、つまり図４のグラフ（ｆ）におけるハッチングの帯の幅に対し、第六閾値（本実施の形態の場合、３０秒）を超えたか否かを判定し（Ｓ１０９）、越えなかった場合は、「正常」のフラグを立てる。また、第五閾値（本実施の形態の場合、６５５秒）を超えた場合（図４のグラフ（ｆ）において最も濃いハッチングの帯の部分）（Ｓ１１０：Ｙｅｓ）、判定部１５０は、持続型と判定する。一方、第五閾値を超えなかった場合（Ｓ１１０、Ｎｏ）、判定部１５０は、次に第六閾値以上、第七閾値（第五閾値と同じ）未満の持続期間が計測されるまでの時間（例えば図４に示す期間３０４）を計測し、当該時間が第八閾値（本実施の形態の場合９０秒）以上で、かつ第十閾値（本実施の形態の場合、３６００秒）の期間の間に第九閾値（本実施の形態の場合、２）回、第六閾値以上、第七閾値未満の持続期間が計測された場合、不規則型と判定する。なお、第十閾値は特に限定されるものではないが、例えばベースラインを算出する期間と同じ期間を例示することができる。
【００６４】
報知部１６０は、判定部１５０が、間欠型、不規則型、および持続型のいずれかの判定をした場合、その旨を表示装置２１０等により報知してもかまわない。この場合、報知された情報を認識した医師や看護師などが判定された類型に基づき適切な処置を実施することが可能となる。
【００６５】
以上の処理は、被測定者が覚醒するまで（Ｓ１１２：Ｙｅｓ）まで実施される。または、被測定者の入眠から覚醒するまでのデータに基づき実施される。
【００６６】
次に、報知部１６０は、被測定者の入眠から覚醒するまでのデータに基づいて判定された内容を集計し、正常、間欠型、持続型、不規則型、混合型１（持続型＋不規則型＋間欠型）、混合型２（持続型＋不規則型）、混合型３（持続型＋間欠型）、および混合型４（不規則型＋間欠型）のいずれに被測定者が該当するかの情報を報知してもかまわない。
【００６７】
以上説明した夜間低酸素血症の類型判別装置１００を用いることにより、医師の治療方針決定に寄与する精度の高い情報を高い再現性で提供することができ、医師による治療法の意思決定に重要な役割を果たすことができる。特に、専門医でも見落とす可能性のある複合型の症状についても正確に情報を提供することができる。なお、４８名の被測定者から取得した睡眠時における酸素飽和度のデータを１０名の医師が解析して得られた判定のうち最も多い判定結果と、本実施の形態に示した第一閾値〜第十閾値の具体的数値に基づき、類型判別装置１００が判定した結果の一致率は６６．７％であった。当該データは、閾値の一例に基づき類型判別装置１００が判別した結果の有用性を具体的に示したものに過ぎず、本発明の各閾値を上記具体的数値に限定する意図を示すものではない。
【００６８】
また、一般の治療者又は治療者を補助する補助者が、類型判別装置１００を使用することで、その治療者の状態に則した治療方法を実施できる。
【００６９】
さらに、報知部１６０が報知した情報に基づき治療装置が、例えば酸素濃度、酸素流量、空気圧などの治療状態を適切に変更することも可能となる。具体的に例えば、間欠型と判定された場合は、治療方法として経鼻的持続陽圧呼吸療法（ＣＰＡＰ）を選択することができる。不規則型と判定された場合は、酸素飽和度に対応した酸素量、および酸素濃度の少なくとも一方を調整する両方を選択することができる。また、持続型と判定された場合は、一定の酸素流量を流す治療を選択することができる。また、複合型と報知された場合には、これらの療法を組み合わせることも可能である。
【００７０】
なお、本発明は、上記実施の形態に限定されるものではない。例えば、本明細書において記載した構成要素を任意に組み合わせて、また、構成要素のいくつかを除外して実現される別の実施の形態を本発明の実施の形態としてもよい。また、上記実施の形態に対して本発明の主旨、すなわち、請求の範囲に記載される文言が示す意味を逸脱しない範囲で当業者が思いつく各種変形を施して得られる変形例も本発明に含まれる。
【００７１】
例えば、上記実施の形態では、パルスオキシメータによるの経皮的動脈血酸素飽和度に関する測定データを用いて、夜間低酸素血症の類型の判断を行う場合を説明したが、他の方法による動脈血酸素飽和度に関する測定データを用いて、夜間低酸素血症の類型の判断を行ってもかまわない。
【００７２】
また、リアルタイムで判定部が判定した情報を報知する場合を説明したが、リアルタイムには報知することなく、被測定者の１回、または複数回の睡眠において蓄積したデータに基づいて判定した結果を報知してもかまわない。
【００７３】
また、類型判別装置と、パルスオキシメータ、表示装置、および記憶装置とは別体として説明したが、これらのいくつかが組み合わされて一体になっていてもかまわない。
【００７４】
また、類型判別装置は、スマートフォンやタブレット端末、コンピュータなど汎用的な装置を用い、ソフトウエアを実行させることにより実現してもよい。
【産業上の利用可能性】
【００７５】
夜間の低酸素血症の類型の判別に利用可能である。具体的に例えると、慢性閉塞性肺疾患を中心として、肺結核後遺症、肺線維症、膠原病性間質性肺炎、心疾患、胸郭・脊柱疾患、神経筋疾患などの患者に対するスクリーニング検査などに利用可能である。
【符号の説明】
【００７６】
１００  類型判別装置
１１０  酸素飽和度情報取得部
１２０  変換部
１３０  パワー抽出部
１４０  時間算出部
１５０  判定部
１６０  報知部
１７０  ベースライン算出部
１８０  検出部
１９０  期間計測部
２００  パルスオキシメータ
２１０  表示装置
２２０  記憶装置
【図１】
2019180800.tif 000003
【図２】
2019180800.tif 000004
【図３】
2019180800.tif 000005
【図４】
2019180800.tif 000006